(57)【特許請求の範囲】
【請求項１】
所定のネットワーク上において端末機器からメッセージ情報の提供を受けてそのメッセージ情報を他の端末機器での閲覧に供するメッセージ管理システムにメッセージ情報を送る際に、外部情報を当該外部情報の取得した地点の位置を表す外部情報取得位置情報とともに当該メッセージ情報に付加し、また、そのメッセージ情報を送る地点の位置を表すメッセージ投稿位置情報を当該メッセージ情報に付加する端末機器であって、
メッセージ情報を前記メッセージ管理システムに送る際に、該メッセージ情報に付加すべき外部情報取得位置情報が表す位置と該メッセージ情報に付加すべきメッセージ投稿位置情報が表す位置とが一致するか否かを判定する位置一致判定手段と、
前記位置一致判定手段により前記外部情報取得位置情報が表す位置と前記メッセージ投稿位置情報が表す位置とが一致していないと判定されたときに、前記メッセージ投稿位置情報を前記外部情報取得位置情報にて表される位置と同じ位置を表すものに変える位置情報制御手段とを有する端末機器。
【請求項２】
所定のネットワーク上において端末機器からメッセージ情報の提供を受けてそのメッセージ情報を他の端末機器での閲覧に供するメッセージ管理システムにメッセージ情報を送る際に、外部情報を当該外部情報の取得した地点の位置を表す外部情報取得位置情報とともに当該メッセージ情報に付加し、また、そのメッセージ情報を送る地点の位置を表すメッセージ投稿位置情報を当該メッセージ情報に付加する端末機器であって、
メッセージ情報を前記メッセージ管理システムに送る際に、該メッセージ情報に付加すべき外部情報取得位置情報が表す位置と該メッセージ情報に付加すべきメッセージ投稿位置情報が表す位置とが一致するか否かを判定する位置一致判定手段と、
前記位置一致判定手段により前記外部情報取得位置情報が表す位置と前記メッセージ投稿位置情報が表す位置とが一致していないと判定されたときに、前記メッセージ投稿位置情報を前記メッセージ情報に付加することを禁止する位置情報制御手段とを有する端末機器。
【請求項３】
所定のネットワーク上において端末機器からメッセージ情報の提供を受けてそのメッセージ情報を他の端末機器での閲覧に供するメッセージ管理システムにメッセージ情報を送る際に、外部情報を当該外部情報の取得した地点の位置を表す外部情報取得位置情報とともに当該メッセージ情報に付加し、また、そのメッセージ情報を送る地点の位置を表すメッセージ投稿位置情報を当該メッセージ情報に付加する端末機器であって、
メッセージ情報を前記メッセージ管理システムに送る際に、該メッセージ情報に付加すべき外部情報取得位置情報が表す位置と該メッセージ情報に付加すべきメッセージ投稿位置情報が表す位置とが一致するか否かを判定する位置一致判定手段と、
前記位置一致判定手段により前記外部情報取得位置情報が表す位置と前記メッセージ投稿位置情報が表す位置とが一致していないときに、前記外部情報取得位置情報と前記メッセージ投稿位置情報とのいずれかを選択する位置選択手段と、
前記位置選択手段により選択された前記外部情報取得位置情報及び前記メッセージ投稿位置情報のいずれかを前記メッセージ情報に付加する位置情報として決定する付加位置情報決定手段を有する端末機器。
【請求項４】
所定のネットワーク上において端末機器からメッセージ情報の提供を受けてそのメッセージ情報を他の端末機器での閲覧に供するメッセージ管理システムにメッセージ情報を送る際に、外部情報を当該外部情報の取得した地点の位置を表す外部情報取得位置情報とともに当該メッセージ情報に付加し、また、そのメッセージ情報を送る地点の位置を表すメッセージ投稿位置情報を当該メッセージ情報に付加する端末機器であって、
異なる複数の地点にて取得した複数の外部情報を付加してメッセージ情報を前記メッセージ管理システムに送る際に、前記複数の外部情報を取得した異なる複数の地点から代表地点を決定し、その代表地点の位置を表す代表位置情報を生成する代表地点決定手段と、
前記メッセージ情報に付加すべきメッセージ投稿地点情報を前記代表位置情報にて表される位置と同じ位置を表すものに変える位置情報制御手段とを有する端末機器。
【請求項５】
前記代表地点決定手段は、前記複数の地点のうちの１つを前記代表地点に決定する請求項４記載の端末機器。
【請求項６】
前記代表地点決定手段は、前記複数の地点のうち最後の外部情報を取得した地点を前記代表地点に決定する請求項５記載の端末機器。
【請求項７】
前記代表地点決定手段は、前記複数の地点を結ぶ線上の地点またはその結ぶ線で囲まれる領域内の地点を前記代表地点に決定する請求項４記載の端末機器。
【請求項８】
撮影ユニットを有し、
前記外部情報は前記撮影ユニットでの撮影により得られた画像情報を含む請求項１乃至７のいずれかに記載の端末機器。
【発明の詳細な説明】
【技術分野】
【０００１】
本発明は、ツイッター（登録商標）等のソーシャル・ネットワーキング・サービス（ＳＮＳ）を提供するＳＮＳシステム等のように所定のネットワーク（例えば、インターネット）上において端末機器からメッセージ情報の提供を受けて、そのメッセージ情報を他の端末機器での閲覧に供するメッセージ管理システムにメッセージ情報を送る端末機器に関する。
【背景技術】
【０００２】
従来、メッセージとともに位置情報を他の端末に送信することのできるメッセージ送信装置（特許文献１参照）が提案されている。このメッセージ送信装置によれば、メッセージとともに当該メッセージ情報に関連した位置情報を他の端末の利用者に知らせることができる。また、写真とその写真が得られた位置を表す撮像位置情報とを含む写真データのアップロードを受け付け、ユーザが撮影した写真が密集する位置を観光スポットとして検出するシステムが提案されている（特許文献２参照）。
【０００３】
このように、メッセージや写真に位置情報を添付することにより、それらメッセージや写真で表される情報だけでなく、位置情報に関連付けてメッセージや写真から新たに得られる情報を伝えることができる。
【先行技術文献】
【特許文献】
【０００４】
【特許文献１】特開平１１−１０８６７６号公報
【特許文献２】特開２０１１−１３７６３８号公報
【発明の概要】
【発明が解決しようとする課題】
【０００５】
ところで、近年、ツイッター（登録商標）等のソーシャル・ネットワーキング・サービス（以下、ＳＮＳという）を提供するシステム（以下、ＳＮＳシステムという）が多く利用されるようになってきている。このＳＮＳシステムは、インターネット上において端末機器からメッセージの提供を受けて、そのメッセージ情報を他の端末機器での閲覧に供するメッセージ管理システムとしての機能を有している。このメッセージ管理システムにアクセス可能な端末機器は、メッセージ情報を前記メッセージ管理システムに送る際に、カメラ（撮影ユニット）による撮影で得られた画像情報をその撮影した地点の位置を表す撮影位置情報（外部情報取得位置情報）とともに当該メッセージ情報に付加し、また、そのメッセージ情報を送る地点の位置を表すメッセージ投稿位置情報を当該メッセージ情報に付加することができる。
【０００６】
このようにメッセージ管理システムに提供された、画像情報及び撮影位置情報が付加されるとともにメッセージ投稿位置情報が付加されたメッセージ情報を他の端末機器にて閲覧する場合、前記メッセージ情報とともに前記画像情報を閲覧することが可能であり、更に、前記メッセージ投稿位置情報に基づいて当該メッセージ情報が端末機器から送られた地点の位置、及び画像情報が取得された地点の位置を知ることができる。
【０００７】
カメラで撮影した直後に、その撮影で得られた画像情報を付加してメッセージ情報を送るのであれば、通常、撮影地点の位置とメッセージ情報とともに画像情報を送る地点の位置（投稿位置）とは、ほぼ同じか、または、ごく近いものである。
【０００８】
しかしながら、メッセージ管理システムにアクセス可能な端末機器の利用者が車両に搭乗している場合、あるいは、車載機器自体がメッセージ管理システムにアクセス可能な端末機器である場合、画像情報の取得地点の位置（カメラでの撮影位置）と、メッセージ情報とともに画像情報を送る地点の位置（投稿位置）とが大きく異なる場合がある。このような場合、画像情報の付加されたメッセージ情報を他の端末機器にて閲覧する際に、メッセージ情報及び画像情報ともに大きく異なる２つの位置（撮影位置、投稿位置）を表す情報が閲覧に供されることになり、画像情報とともに撮影地点に興味のある利用者が、大きく異なる２つの位置を表す情報によって混乱をきたすおそれがある。
【０００９】
本発明は、このような事情に鑑みてなされたもので、メッセージ情報とともに外部情報を閲覧するに際して、外部情報の取得された地点の位置を表す外部情報取得位置情報と前記メッセージ情報が送られた地点の位置を表すメッセージ投稿位置情報との違いによる混乱を防止することのできるように、前記メッセージ情報及び前記外部情報とともに前記外部情報取得位置情報及び前記メッセージ投稿位置情報を送ることのできる端末機器を提供するものである。
【課題を解決するための手段】
【００１０】
本発明に係る端末機器は、所定のネットワーク上において端末機器からメッセージ情報の提供を受けてそのメッセージ情報を他の端末機器での閲覧に供するメッセージ管理システムにメッセージ情報を送る際に、外部情報を当該外部情報の取得した地点の位置を表す外部情報取得位置情報とともに当該メッセージ情報に付加し、また、そのメッセージ情報を送る地点の位置を表すメッセージ投稿位置情報を当該メッセージ情報に付加する端末機器であって、メッセージ情報を前記メッセージ管理システムに送る際に、該メッセージ情報に付加すべき外部情報取得位置情報が表す位置と該メッセージ情報に付加すべきメッセージ投稿位置情報が表す位置とが一致するか否かを判定する位置一致判定手段と、前記位置一致判定手段により前記外部情報取得位置情報が表す位置と前記メッセージ投稿位置情報が表す位置とが一致していないと判定されたときに、前記メッセージ投稿位置情報を前記外部情報取得位置情報にて表される位置と同じ位置を表すものに変える位置情報制御手段とを有する構成となる。
【００１１】
このような構成により、外部情報の付加されたメッセージ情報をメッセージ管理システムに送る際に、該メッセージ情報を送った地点の位置と外部情報を取得した地点の位置とが一致しない場合に、前記メッセージ情報を送った地点の位置を表すメッセージ投稿位置情報が、前記外部情報を取得した地点の位置と同じ位置を表すものに変えられる。このため、前記メッセージ情報及び外部情報とともに同じ地点を表すメッセージ投稿位置情報と外部情報取得位置情報とがメッセージ管理システムに送られる。
【００１２】
所定のネットワーク上において端末機器からのメッセージ情報の提供を受けて、そのメッセージ情報を他の端末での閲覧に供するメッセージ管理システムとして、ツイッター（登録商標）等の、いわゆる、ソーシャル・ネットワーキング・サービスをインターネット上で提供するシステムを利用することができる。
【００１３】
本発明に係る端末機器は、所定のネットワーク上において端末機器からメッセージ情報の提供を受けてそのメッセージ情報を他の端末機器での閲覧に供するメッセージ管理システムにメッセージ情報を送る際に、外部情報を当該外部情報の取得した地点の位置を表す外部情報取得位置情報とともに当該メッセージ情報に付加し、また、そのメッセージ情報を送る地点の位置を表すメッセージ投稿位置情報を当該メッセージ情報に付加する端末機器であって、メッセージ情報を前記メッセージ管理システムに送る際に、該メッセージ情報に付加すべき外部情報取得位置情報が表す位置と該メッセージ情報に付加すべきメッセージ投稿位置情報が表す位置とが一致するか否かを判定する位置一致判定手段と、前記位置一致判定手段により前記外部情報取得位置情報が表す位置と前記メッセージ投稿位置情報が表す位置とが一致していないと判定されたときに、前記メッセージ投稿位置情報を前記メッセージ情報に付加することを禁止する位置情報制御手段とを有する構成となる。
【００１４】
このような構成により、外部情報の付加されたメッセージ情報をメッセージ管理システムに送る際に、該メッセージ情報を送った地点の位置と外部情報を取得した地点の位置とが一致しない場合に、前記メッセージ情報を送った地点の位置を表すメッセージ投稿位置情報を前記メッセージ情報に付加することが禁止される。このため、前記メッセージ投稿位置情報が付加されることなく、前記メッセージ情報及び前記外部情報とともに外部情報取得位置がメッセージ管理システムに送られる。
【００１５】
本発明に係る端末機器は、所定のネットワーク上において端末機器からメッセージ情報の提供を受けてそのメッセージ情報を他の端末機器での閲覧に供するメッセージ管理システムにメッセージ情報を送る際に、外部情報を当該外部情報の取得した地点の位置を表す外部情報取得位置情報とともに当該メッセージ情報に付加し、また、そのメッセージ情報を送る地点の位置を表すメッセージ投稿位置情報を当該メッセージ情報に付加する端末機器であって、メッセージ情報を前記メッセージ管理システムに送る際に、該メッセージ情報に付加すべき外部情報取得位置情報が表す位置と該メッセージ情報に付加すべきメッセージ投稿位置情報が表す位置とが一致するか否かを判定する位置一致判定手段と、前記位置一致判定手段により前記外部情報取得位置情報が表す位置と前記メッセージ投稿位置情報が表す位置とが一致していないときに、前記外部情報取得位置情報と前記メッセージ投稿位置情報とのいずれかを選択する位置選択手段と、前記位置選択手段により選択された前記外部情報取得位置情報及び前記メッセージ投稿位置情報のいずれかを前記メッセージ情報に付加する位置情報として決定する付加位置情報決定手段を有する構成となる。
【００１６】
このような構成により、外部情報の付加されたメッセージ情報をメッセージ管理システムに送る際に、該メッセージ情報を送る地点の位置と外部情報を取得した地点の位置とが一致しない場合に、前記メッセージ情報を送った地点を表すメッセージ投稿位置情報及び前記外部情報を取得した地点の位置を表す外部情報取得位置情報いずれかが選択されると、その選択された位置情報がメッセージ情報に付加されてメッセージ管理システムに送られる。
【００１７】
前記メッセージ投稿位置情報が選択された場合、当該メッセージ投稿位置情報がメッセージ情報に付加されていればよく、外部情報を取得した地点の位置を表す外部情報取得位置情報を付加せずに、メッセージ投稿位置情報だけをメッセージ情報に付加しても、前記外部情報取得位置を前記メッセージ投稿位置情報が表す位置と同じ位置を表すもの変えるようにしてもよい。また、前記外部情報取得位置情報が選択された場合、当該外部情報取得位置情報がメッセージ情報に付加されていればよく、メッセージ情報をメッセージ管理システムに送る地点の位置を表すメッセージ投稿位置を付加せずに、外部情報取得位置情報だけをメッセージ情報に付加しても、前記メッセージ投稿位置情報を前記外部情報取得位置情報が表す位置と同じ位置を表すものに変えるようにしてもよい。
【００１８】
また、本発明に係る端末機器は、所定のネットワーク上において端末機器からメッセージ情報の提供を受けてそのメッセージ情報を他の端末機器での閲覧に供するメッセージ管理システムにメッセージ情報を送る際に、外部情報を当該外部情報の取得した地点の位置を表す外部情報取得位置情報とともに当該メッセージ情報に付加し、また、そのメッセージ情報を送る地点の位置を表すメッセージ投稿位置情報を当該メッセージ情報に付加する端末機器であって、異なる複数の地点にて取得した複数の外部情報を付加してメッセージ情報を前記メッセージ管理システムに送る際に、前記複数の外部情報を取得した異なる複数の地点から代表地点を決定し、その代表地点の位置を表す代表位置情報を生成する代表地点決定手段と、前記メッセージ情報に付加すべきメッセージ投稿地点情報を前記代表位置情報にて表される位置と同じ位置を表すものに変える位置情報制御手段とを有する構成となる。
【００１９】
このような構成により、異なる位置にて取得された複数の外部情報の付加されたメッセージ情報をメッセージ管理システムに送る際に、前記メッセージ情報を送った地点の位置を表すメッセージ投稿位置情報が、前記複数の外部情報を取得した異なる複数の地点から決定された代表地点を表すものに変えられる。このため、前記メッセージ情報及び複数の外部情報とともに、前記代表地点の位置を表すメッセージ投稿位置情報と前記複数の外部情報のそれぞれが取得された地点の位置を表す外部情報取得位置情報とがメッセージ管理システムに送られる。
【００２０】
本発明に係る端末機器において、前記代表地点決定手段は、前記複数の地点のうちの１つを前記代表地点に決定する構成とすることができる。
【００２１】
このような構成により、メッセージ情報及び複数の外部情報とともに、前記複数の外部情報が取得された地点のうちの１つの位置を表すメッセージ投稿位置情報と前記複数の外部情報のそれぞれが取得された地点の位置を表す外部情報取得位置情報とがメッセージ管理システムに送られる。
【００２２】
また、本発明に係る端末機器において、前記代表地点決定手段は、前記複数の地点のうち最後の外部情報を取得した地点を前記代表地点に決定する構成とすることができる。
【００２３】
このような構成により、メッセージ情報及び複数の外部情報とともに、前記複数の外部情報が取得された複数の地点のうち最後の外部情報を取得した地点の位置を表すメッセージ投稿位置情報と前記複数の外部情報のそれぞれが取得された地点の位置を表す外部情報取得位置情報とがメッセージ管理システムに送られる。
【００２４】
更に、本発明に係る端末機器において、前記代表地点決定手段は、前記複数の地点を結ぶ線上の地点またはその結ぶ線で囲まれる領域内の地点を前記代表地点に決定する構成とすることができる。
【００２５】
このような構成により、メッセージ情報及び複数の外部情報とともに、前記複数の外部情報が取得された複数の地点を結ぶ線上またはその結ぶ線で囲まれる領域内の地点を表すメッセージ投稿位置情報と前記複数の外部情報のそれぞれが取得された地点の位置を表す外部情報取得位置情報とがメッセージ管理システムに送られる。
【００２６】
また、本発明に係る端末機器は、撮影ユニットを有し、前記外部情報は前記撮影ユニットでの撮影により得られた画像情報を含む構成とすることができる。
【００２７】
このような構成により、メッセージ情報とともに撮影ユニットでの撮影により得られた画像情報をメッセージ管理システムに送ることができる。
【発明の効果】
【００２８】
本発明に係る端末機器によれば、メッセージ情報を送った地点の位置と外部情報を取得した地点の位置とが一致しない場合であっても、前記メッセージ情報及び外部情報とともに同じ地点を表すメッセージ投稿位置情報と外部情報取得位置情報とがメッセージ管理システムに送られるようになるので、当該メッセージ管理システムによって前記メッセージ情報とともに外部情報が他の端末機器での閲覧に供された際に、前記外部情報取得位置情報と前記メッセージ投稿位置情報との違いによる混乱を防止することができる。
【００２９】
また、本発明に係る端末機器によれば、メッセージ情報を送った地点の位置と外部情報を取得した地点の位置とが一致しない場合であっても、前記メッセージ情報を送った地点の位置を表すメッセージ投稿位置情報が付加されることなく、前記メッセージ情報及び前記外部情報とともに外部情報取得位置がメッセージ管理システムに送られるので、当該メッセージ管理システムによって前記メッセージ情報とともに外部情報が他の端末機器での閲覧に供された際に、前記外部情報取得位置情報と前記メッセージ投稿位置情報との違いによる混乱を防止することができる。
【００３０】
また、本発明に係る端末機器によれば、メッセージ情報を送った地点の位置と外部情報を取得した地点の位置とが一致しない場合に、前記メッセージ情報を送った地点を表すメッセージ投稿位置情報及び前記外部情報を取得した地点の位置を表す外部情報取得位置情報いずれかが選択されると、その選択された位置情報がメッセージ情報に付加されてメッセージ管理システムに送られるので、当該メッセージ管理システムによって前記メッセージ情報とともに外部情報が他の端末機器での閲覧に供された際に、前記外部情報取得位置情報と前記メッセージ投稿位置情報との違いによる混乱を防止することができる。
【００３１】
また、本発明に係る端末機器によれば、前記メッセージ情報及び複数の外部情報とともに、前記複数の外部情報を取得した異なる複数の地点から決定された代表地点の位置を表すメッセージ投稿位置情報と前記複数の外部情報のそれぞれが取得された地点の位置を表す外部情報取得位置情報とがメッセージ管理システムに送られるので、当該メッセージ管理システムによって前記メッセージ情報とともに外部情報が他の端末機器での閲覧に供された際に、メッセージ投稿位置情報が表す地点が複数の外部情報が取得された異なる複数の地点に比較的近いものとなって、それらの関連性を理解し易いものとなる。そのため、複数の異なる地点の位置を表す前記外部情報取得位置情報と前記メッセージ投稿位置情報との違いによる混乱を防止することができる。
【図面の簡単な説明】
【００３２】
【図１】本発明の実施の一形態に係る端末機器であるスマートフォンのハードウェアの基本的な構成を示すブロック図である。
【図２】スマートフォンのカメラユニットでの撮影により得られた写真画像の撮影日時、撮影地点等を管理する画像管理テーブルの一例である。
【図３】スマートフォンのホーム画面の一例を示す図である。
【図４】メッセージ情報をＳＮＳシステムに送る（投稿する）ための処理の手順を示すフローチャートである。
【図５】スマートフォンがＳＮＳサービスに送った（投稿した）メッセージ情報の投稿日時、投稿地点等を管理するメッセージ管理テーブルの一例である。
【図６】スマートフォンからＳＮＳシステムに送られたメッセージ情報の投稿地点及び当該メッセージ情報に付加された画像情報の撮影地点の他の端末機器（車載機器）での提示例（その１）を示す図である。
【図７】スマートフォンからＳＮＳシステムに送られたメッセージ情報の投稿地点及び当該メッセージ情報に付加された画像情報の撮影地点の他の端末機器（車載機器）での提示例（その２）を示す図である。
【図８】スマートフォンからＳＮＳシステムに送られたメッセージ情報の投稿地点及び当該メッセージ情報に付加された画像情報の撮影位置情報の他の端末機器（車載機器）での提示例（その３）を示す図である。
【図９Ａ】メッセージ情報をＳＮＳシステムに送る（投稿する）ための処理の他の手順を示すフローチャート（その１）である。
【図９Ｂ】メッセージ情報をＳＮＳシステムに送る（投稿する）ための処理の他の手順を示すフローチャート（その２）である。
【発明を実施するための形態】
【００３３】
以下、本発明の実施の一形態について説明する。
【００３４】
本発明の実施の一形態に係る端末機器は、図１に示すように構成される。この端末機器は、例えば、スマートフォンである。
【００３５】
図１において、スマートフォン１００は、処理ユニット１０、通信ユニット１１、表示部１２、操作部１３、記憶部１４及びカメラユニット１５（撮影ユニット）を有している。処理ユニット１０は、記憶部１４に格納されたアプリケーション・ソフト（以下、単にアプリケーションという）を読み出し、そのアプリケーションに従って各種の制御や処理を実行する。通信ユニット１１は、処理ユニット１０の制御のもと、所定の移動体通信網を介してツイッター（登録商標）等のインターネット上でＳＮＳ（ソーシャル・ネットワーキング・サービス）を提供するＳＮＳシステムと通信可能となっている。このＳＮＳシステムは、インターネット上において端末機器からのメッセージ情報を受けて、そのメッセージ情報を他の端末機器での閲覧に供するメッセージ管理システムとして機能し得る。表示部１２は、ＬＣＤ等で構成され、処理ユニット１０での処理により得られた各種の情報を表示する。操作部１３は、表示部１２に一体的に設けられたタッチパネル等で構成され、ユーザによる操作（例えば、タッチパネル上での指の操作）に応じた操作信号を処理ユニット１０に供給する。処理ユニット１０は、操作部１３からの操作信号に基づいて前記アプリケーションに従った処理を実行する。
【００３６】
カメラユニット１５の撮影動作により得られる撮影画像（写真画像）を表す画像信号が処理ユニット１０に出力される。処理ユニット１０は、カメラユニット１５からの画像信号に基づいて前記撮影画像を表す写真画像情報（外部情報）を生成して記憶部１４に格納する。処理ユニット１０は、カメラユニット１５で撮影がなされた日時（ＤＡＴＥ）を内部タイマ（図示略）から取得するとともに、撮影地点Ｐｃの位置を表す撮影位置情報（外部情報取得位置情報：例えば、経度（Ｘ）・緯度（Ｙ）で表される）をＧＰＳユニット（図示略）から取得し、図２に示す画像管理テーブルにより、その撮影日時及び撮影位置情報を画像情報の識別子（画像番号）に対応づけて管理している。
【００３７】
スマートフォン１００（処理ユニット１０）は、初期状態において、アプリケーションを起動させるためのアイコンボタンの一覧を表示部１２に、例えば、図３に示すようなホーム画面として表示させる。そして、ＳＮＳシステムを利用するためのＳＮＳアプリケーション（例えば、図３に示すホーム画面におけるアイコンボタンＳＮＳ・Ａに対応）が起動されると、処理ユニット１０は、図４に示す手順に従って、メッセージ情報をＳＮＳシステムに送る（投稿する）ための処理を行う。
【００３８】
図４において、ＳＮＳアプリケーションが起動されると、処理ユニット１０は、メッセージ情報を投稿するか否か（Ｓ１１）及び操作部１３により所定の終了操作がなされたか否か（Ｓ１２）を繰り返し判定している。この状態で、操作部１３にてメッセージ情報の投稿に係る操作がなされると（Ｓ１１でＹＥＳ）、処理ユニット１０は、操作部１３での入力操作に従って、メッセージ情報作成に係る処理を行う（Ｓ１３）。そして、作成されたメッセージ情報は、処理ユニット１０の内部メモリに保存される。このとき、処理ユニット１０は、ＧＰＳユニットから現在の位置情報をメッセージ情報の投稿地点Ｐｓの位置を表す投稿位置情報として取得する（Ｓ１４）。なお、この生成されるメッセージ情報についても前述した画像情報と同様に、例えば、図５に示すメッセージ管理テーブルにより、生成されたメッセージ情報を特定する識別子に対応づけて投稿日時及び投稿地点Ｐｓの位置を表す投稿位置情報（投稿地点Ｐｓ）が管理される。
【００３９】
続いて、処理ユニット１０は、操作部１３にて写真画像の添付に係る操作がなされたか否かに基づいて、前記作成したメッセージ情報に写真画像を添付するか否かを判定する（Ｓ１５）。写真画像を添付するものであると判定すると（Ｓ１５でＹＥＳ）、処理ユニット１０は、操作部１３での操作により指定された写真画像が複数であるか否かを判定する（Ｓ１６）。ここで、単一の写真画像（例えば、図２に示す画像管理テーブルにて管理される画像００１とする）が作成されたメッセージ情報に添付すべきものとして指定されると（Ｓ１６でＮＯ）、処理ユニット１０は、画像管理テーブル（図２参照）を参照して、指定された写真画像（００１）に対応した撮影位置情報Ｐｃ（Ｘｃ，Ｙｃ）と、メッセージ情報（例えば、図５に示すメッセージ管理テーブルにて管理されるメッセージ１とする）の投稿位置情報Ｐｓ（Ｘ５，Ｙ５）とが一致するか否かを判定する（Ｓ１７：位置一致判定手段）。
【００４０】
例えば、スマートフォン１００を所持する利用者が車両に搭乗しており、既にカメラユニット１５による撮影がなされた後に、走行する車両が信号機のある交差点やサービスエリア等で停止した状態で、メッセージ情報の作成とその投稿がなされるような場合等、前記写真画像（００１）の撮影位置情報Ｐｃ（Ｘｃ，Ｙｃ）とメッセージ情報（メッセージ１）の投稿位置情報Ｐｓ（Ｘ５，Ｙ５）とが一致しない（Ｓ１７でＮＯ）と判定される。この場合、処理ユニット１０は、投稿位置情報Ｐｓ（Ｘ５，Ｙ５）を撮影位置情報で表される位置（Ｘｃ，Ｙｃ）と同じ位置を表すものに変更する（Ｓ１８：位置情報制御手段）。そして、処理ユニット１０は、メッセージ管理テーブル（図５参照）に、投稿すべきメッセージ情報の識別子（メッセージ１）に対応させて、投稿位置情報Ｐｓ（Ｘ５，Ｙ５）から変更して得られた新たな投稿位置情報Ｐｓ（Ｘｃ，Ｙｃ）を変更投稿位置情報として登録する。
【００４１】
その後、処理ユニット１０は、通信ユニット１１を制御して、メッセージ情報（メッセージ１）に変更後の投稿位置情報Ｐｓ（Ｘｃ，Ｙｃ）を付加し、また、写真画像情報（００１）に撮影位置情報Ｐｃ（Ｘｃ，Ｙｃ）を付加して、それらメッセージ情報（メッセージ１）、投稿位置情報Ｐｓ（Ｘｃ，Ｙｃ）、写真画像情報（００１）及び撮影位置情報Ｐｃ（Ｘｃ，Ｘｃ）をＳＮＳシステムに送信する（Ｓ１９）。
【００４２】
ＳＮＳシステムは、このようにして投稿された写真画像情報（００１）の付加されたメッセージ情報（メッセージ１）を他の端末機器での閲覧に供することができる。例えば、ＳＮＳシステムにアクセス可能な端末機器として機能し得るナビゲーション機器（例えば、車載ナビゲーション装置、ナビゲーションアプリケーションを搭載したスマートフォン等）では、前記メッセージ情報（メッセージ１）及び写真画像情報（００１）の閲覧に際して、表示部に表示された道路地図上にメッセージ情報の投稿地点及び写真画像情報が取得された撮影位置地点を指示することが可能である。例えば、図６に示すように、本来、位置（Ｘ５，Ｙ５）（×印参照）でメッセージ情報が投稿されたにもかかわらず、撮影位置情報Ｐｃが表す位置（Ｘｃ，Ｙｃ）と同じ位置を表すように変更された投稿位置情報Ｐｓに基づいて、地図上の位置（Ｘｃ，Ｙｃ）に、投稿地点Ｐｓを表すマーク（吹き出し）が、撮影地点Ｐｃを表すマーク（カメラ）に重ねて表示される。
【００４３】
このように、スマートフォン１００の利用者が車両に搭乗している状況等において、メッセージ情報の投稿地点Ｐｓと写真画像情報を取得した撮影地点Ｐｃの位置とが一致しない場合であっても、メッセージ情報及び写真画像情報とともに同じ地点を表す投稿位置情報Ｐｓと撮影位置情報ＰｓとがＳＮＳシステムに送られるようになるので、当該ＳＮＳシステムによって前記メッセージ情報とともに写真画像情報が他の端末機器での閲覧に供された際に、前記撮影位置情報Ｐｃと前記投稿位置情報Ｐｓとの違いによる混乱を防止することができる。即ち、通常、写真画像情報を取得した地点（位置）に関心のある閲覧者が撮影画像情報Ｐｃと異なる位置を表す投稿位置情報Ｐｓが提示されることによって写真画像が取得された位置に関して混乱することを防止することができる。
【００４４】
例えば、走行する車両に搭乗した利用者が、カメラユニット１５での撮影により複数の写真画像情報が順次得られた後に、車両が信号機のある交差点やサービスエリア等で停止した状態で、メッセージ情報の作成とその投稿を行なうような場合であって、図４に示す処理において、その複数の写真画像（例えば、図２に示す画像管理テーブルにて管理される画像００２〜画像００５とする）が作成されたメッセージ情報に添付すべきものとして指定されると（Ｓ１６でＹＥＳ）、処理ユニット１０は、画像管理テーブル（図２参照）を参照して、指定された写真画像情報（００２〜００５）に対応した撮影位置情報Ｐｃ１（Ｘ１，Ｙ１）、Ｐｃ２（Ｘ２，Ｙ２）、Ｐｃ３（Ｘ３，Ｙ３）、Ｐｃ４（Ｘ４，Ｙ４）に基づいて代表地点を表す代表位置情報Ｐｃｏ（Ｘｃｏ，Ｙｃｏ）を決定する（Ｓ２０：代表地点決定手段）。例えば、撮影日時に基づいて、最新の写真画像情報（００５）の撮影位置情報Ｐｃ（Ｘ４，Ｙ４）が代表位置情報Ｐｃｏとして決定される。そして、処理ユニット１０は、メッセージ情報（例えば、図５に示すメッセージ管理テーブルにて管理されるメッセージ２とする）の投稿位置情報Ｐｓ（Ｘ６，Ｙ６）を前記代表位置情報Ｐｃｏで表される位置（Ｘｃｏ，Ｙｃｏ）（例えば、（Ｘ４，Ｙ４））と同じ位置を表すものに変更する（Ｓ２１：位置情報制御手段）。そして、処理ユニット１０は、メッセージ管理テーブル（図５参照）に、投稿すべきメッセージ情報の識別子（メッセージ２）に対応させて、投稿位置情報Ｐｓ（Ｘ６，Ｙ６）から変更して得られた新たな投稿位置情報Ｐｓ（Ｘｃｏ，Ｙｃｏ）（例えば、（Ｘ４，Ｙ４））を変更投稿位置情報として登録する。
【００４５】
その後、処理ユニット１０は、通信ユニット１１を制御して、メッセージ情報（メッセージ２）に変更後の投稿位置情報Ｐｓ（Ｘ４，Ｙ４）を付加し、また、各写真画像情報（００２、００３、００４、００５）に対応する投稿位置情報Ｐｃ１（Ｘ１，Ｙ１）、Ｐｃ２（Ｘ２，Ｙ２）、Ｐｃ３（Ｘ３，Ｙ３）、Ｐｃ４（Ｘ４，Ｙ４）を付加して、それらメッセージ情報（メッセージ２）、投稿位置情報Ｐｓ（Ｘ４，Ｙ４）、写真画像情報（００２、００３、００４、００５）、及び撮影位置情報Ｐｃ１（Ｘ１，Ｙ１）、Ｐｃ２（Ｘ２，Ｙ２）、Ｐｃ３（Ｘ３，Ｙ３）、Ｐｃ４（Ｘ４，Ｙ４）をＳＮＳシステムに送信する（Ｓ１９）。
【００４６】
ＳＮＳシステムは、このようにして投稿された４つの写真画像情報（００２〜００５）の添付されたメッセージ情報（メッセージ２）を他の端末機器での閲覧に供することができる。例えば、前述したのと同様に、ＳＮＳシステムにアクセス可能な端末機器として機能し得るナビゲーション装置では、前記メッセージ情報（メッセージ２）及び４つの写真画像情報（００２〜００５）の閲覧に際して、例えば、図７に示すように、表示部に表示された道路地図上の撮影位置情報Ｐｃ１〜Ｐｃ４にて表される位置（Ｘ１，Ｙ１）、（Ｘ２，Ｙ２）、（Ｘ３，Ｙ３）、（Ｘ４，Ｙ４）に撮影地点Ｐｃ１〜Ｐｃ４を表すマーク（カメラ）が表示される。また、本来、位置（Ｘ６，Ｙ６）（×印参照）でメッセージ情報（メッセージ２）が投稿されたにもかかわらず、最新の写真画像情報（００５）を取得した撮影位置（Ｘ４、Ｙ４）と同じ位置を表すように変更された投稿位置情報Ｐｓに基づいて、地図上の位置（Ｘ４，Ｙ４）に、投稿地点Ｐｓを表すマーク（吹き出し）が、最新の写真画像（００５）の撮影地点Ｐｃ５を表すマーク（カメラ）に重ねて表示される。
【００４７】
このように、スマートフォン１００の利用者が車両に搭乗している状況等において、複数の写真画像情報が取得された異なる複数の地点Ｐｃ１〜Ｐｃ４から最新の写真画像情報が取得された撮影地点が代表地点Ｐｃｏとして決定され、メッセージ情報及び複数の写真画像情報とともに、その代表地点Ｐｃｏの位置を表す投稿位置情報Ｐｓと前記複数の写真画像情報のそれぞれが取得された地点の位置を表す撮影位置情報とがＳＮＳシステムに送られるので、当該ＳＮＳシステムによって前記メッセージ情報とともに複数の写真画像情報が他の端末機器での閲覧に供された際に、複数の写真画像情報の取得された撮影位置情報Ｐｃ１〜Ｐｃ４と前記投稿位置情報Ｐｓとの違いによる混乱を防止することができる。即ち、通常、写真画像情報を取得した地点（位置）に関心のある閲覧者が複数の写真画像情報の撮影画像情報Ｐｃ１〜Ｐｃ４のいずれとも異なる位置を表す投稿位置情報Ｐｓが提示されることによって写真画像が取得された位置に関して混乱することを防止することができる。
【００４８】
なお、前記代表位置情報Ｐｃｏは、複数の撮影位置情報Ｐｃ１〜Ｐｃ４から最新の写真画像情報を取得した地点の位置を表すものに決定されたが、これに限られず、複数の撮影位置情報Ｐｃ１〜Ｐｃ４のうちのいずれか１つが表す位置と同じ位置を表すものに決定することができる。
【００４９】
また、複数の撮影位置情報Ｐｃ１〜Ｐｃ４にて表される複数の地点を結ぶ直線上の地点または、図８に示すように、その複数の地点を結ぶ線で囲まれる領域Ｅ内の地点を表す位置を代表位置情報Ｐｃｏとして決定することができる。この場合、ＳＮＳシステムによってメッセージ情報とともに複数の写真画像情報が端末機器での閲覧に供された際に（図８参照）、投稿位置情報Ｐｓが表す投稿地点が複数の写真画像情報が取得された異なる複数の撮影地点Ｐｃ１〜Ｐｃ４の比較的近傍に現れて、それらの関連性が理解し易いので、複数の異なる撮影地点の位置を表す前記撮影位置情報Ｐｃ１〜Ｐｃ４と投稿位置情報Ｐｓとの違いによる混乱を防止することができる。即ち、通常、写真画像情報を取得した地点（位置）に関心のある閲覧者が複数の写真画像情報の撮影画像情報Ｐｃ１〜Ｐｃ４のいずれとも大きく異なる位置を表す投稿位置情報Ｐｓが提示されることによって写真画像が取得された位置に関して混乱することを防止することができる。
【００５０】
なお、図４の処理において、処理ユニット１０は、前記作成したメッセージ情報に添付する写真画像が無いと判定すると（Ｓ１５でＮＯ）、通信ユニット１１を制御して、前記メッセージ情報に取得された（Ｓ１４参照）投稿位置情報Ｐｓを付加して、それらをＳＮＳシステムに送信する（Ｓ２２）。この場合、ＳＮＳシステムによってメッセージ情報が端末機器での閲覧に供された際に、その端末機器において、そのメッセージ情報を送信した（投稿した）位置を表す投稿位置情報が提示される。
【００５１】
前述した処理が、繰り返し実行される過程で、操作部１３において所定の終了操作がなされると（Ｓ１２でＹＥＳ）、処理ユニット１０は、メッセージ情報を送る（投稿する）ための処理を終了させる。
【００５２】
前述した端末機器（スマートフォン１００）では、メッセージ情報をＳＮＳシステムに送った位置を表す投稿位置情報を、付加すべき写真画像情報（外部情報）が取得された位置を表す撮影位置情報（外部情報取得位置情報）に変えるものであったが、投稿位置情報Ｐｓをメッセージ情報に付加することを禁止する、即ち、投稿位置情報Ｐｓをメッセージ情報とともにＳＮＳシステムに送ることを禁止するようにしてもよい（投稿位置情報Ｐｓを送らない）。この場合、メッセージ情報を送った地点の位置と写真画像情報を取得した地点の位置とが一致しない場合であっても、前記メッセージ情報を送った地点の位置を表す投稿位置情報Ｐｓが付加されることなく、前記メッセージ情報及び写真画像情報とともに撮影位置情報ＰｃがＳＮＳシステムに送られるので、当該ＳＮＳシステムによって前記メッセージ情報とともに写真画像情報が他の端末機器での閲覧に供された際に、前記撮影画像情報Ｐｃと前記投稿位置情報Ｐｓとの違いによる混乱を防止することができる。
【００５３】
メッセージ情報をＳＮＳシステムに送る（投稿する）ための処理は、図９Ａ及び図９Ｂに示す手順に従って行うこともできる。この手順に従った処理は、メッセージ情報に付加すべき位置情報として、投稿位置情報Ｐｓ及び撮影位置情報Ｐｃのいずれかを選択することができることを特徴としている。なお、図９Ａ及び図９Ｂにおいて、図４に示す処理手順における処理と同じ処理のステップには同じ参照番号が付されている。
【００５４】
図９Ａにおいて、前述した例（図４参照）と同様に、Ｐｃの地点（撮影位置情報Ｐｃ）で撮影した単一の写真画像を付加してメッセージ情報をＰｓの地点（投稿位置情報Ｐｓ）でＳＮＳシステムに送る（投稿する）場合（Ｓ１１でＹＥＳ、Ｓ１３、Ｓ１４、Ｓ１５でＹＥＳ、Ｓ１６でＮＯ）、処理ユニット１０は、撮影位置情報Ｐｃが表す位置と投稿位置情報Ｐｓが表す位置とが一致するか否かを判定する（Ｓ１７）。ここで、撮影位置情報Ｐｃが表す位置と投稿位置情報Ｐｓが表す位置とが一致しない場合（Ｓ１７でＮＯ）、処理ユニット１０は、例えば、表示部１２に、撮影位置情報Ｐｃと投稿位置情報Ｐｓとのいずれをメッセージ情報に付加すべき位置情報にするかを選択するための選択画面（図示略：位置選択手段）を表示させる。処理ユニット１０は、前記選択画面を表示部１２に表示させた後、撮影位置情報Ｐｃ及び投稿位置情報Ｐｓのいずれが選択されたかを監視している（Ｓ２２）。選択画面において、利用者が、例えば、撮影位置情報Ｐｃを選択するための操作を操作部１３にて行うと、処理ユニット１０は、選択された撮影位置情報Ｐｃを前記メッセージ情報に付加すべき位置情報として決定し（Ｓ２２でＰｃ：付加位置情報決定手段）、前述した例と同様に、投稿位置情報Ｐｓを撮影位置情報Ｐｃで表される位置と同じ位置を表すものに変更し（Ｓ２３）、メッセージ情報に変更後の投稿位置情報Ｐｓを付加し、また、写真画像情報に撮影位置情報Ｐｃを付加する。そして、処理ユニット１０は、通信ユニット１１を制御して、それらメッセージ情報及び写真画像情報とともに、それぞれ写真画像情報を取得した地点の位置を表す投稿位置情報Ｐｓ及び撮影位置情報ＰｃをＳＮＳシステムに送信する（Ｓ１９）。
【００５５】
一方、選択画面において、利用者が、例えば、投稿位置情報Ｐｓを選択するための操作を操作部１３にて行うと（Ｓ２２でＰｓ）、処理ユニット１０は、選択された投稿位置情報Ｐｓを前記メッセージ情報に付加すべき位置情報として決定し（Ｓ２２でＰｓ：付加位置情報決定手段）、撮影位置情報Ｐｃを投稿位置情報Ｐｓで表される位置と同じ位置を表すものに変更し（Ｓ２４）、メッセージ情報に投稿位置情報Ｐｓを付加し、また、写真画像情報に変更後の撮影位置情報Ｐｃを付加する。そして、処理ユニット１０は、通信ユニット１１を制御して、メッセージ情報及び写真画像情報とともに、それぞれ当該メッセージ情報をＳＮＳシステムに送る（投稿する）地点の位置を表す投稿位置情報Ｐｓ及び撮影位置情報ＰｃをＳＮＳシステムに送信する（Ｓ１９）。
【００５６】
このように、メッセージ情報を送る地点の位置と写真画像を取得した地点の位置とが一致しない場合に、前記メッセージ情報を送る地点を表す投稿位置情報Ｐｓ及び前記写真画像を取得した地点の位置を表す撮影位置情報Ｐｃのいずれかが選択されると、その選択された位置情報がメッセージ情報に付加されてＳＮＳシステムに送られるので、当該ＳＮＳシステムによって前記メッセージ情報とともに写真画像が他の端末機器での閲覧に供された際に、前記撮影位置情報Ｐｃと前記メッセージ投稿位置情報Ｐｓとの違いによる混乱を防止することができる。
【００５７】
また、メッセージ情報に複数の写真を付加する場合（Ｓ１６でＹＥＳ）、処理ユニット１０は、図９Ｂに示す手順に従って処理を行う。図９Ｂにおいて、処理ユニット１０は、表示部１２に、撮影位置情報Ｐｃと投稿位置情報Ｐｓとのいずれをメッセージ情報に付加すべき位置情報にするかを選択するための選択画面を表示させた後、撮影位置情報Ｐｃ及び投稿位置情報Ｐｓのいずれが選択されたかを監視している（Ｓ２５）。選択画面において、利用者が、例えば、撮影位置情報Ｐｃを選択するための操作を操作部１３にて行うと、処理ユニット１０は、前述した例と同様に、複数の写真画像に対応した撮影位置情報Ｐｃ１〜Ｐｃｎに基づいて代表地点を表す代表位置情報Ｐｃｏを決定する（Ｓ２０）。そして、処理ユニット１０は、投稿位置情報Ｐｓを前記代表位置情報Ｐｃｏが表す位置と同じ位置に変更し（Ｓ２１）、メッセージ情報に変更後の投稿位置情報Ｐｓ（代表位置情報Ｐｃｏと同じ位置を表す）を付加するとともに、複数の写真画像に対応する撮影位置情報Ｐｃ１〜Ｐｃｎを付加する。処理ユニット１０は、通信ユニット１１を制御して、メッセージ情報及び複数の写真画像とともに、代表位置情報Ｐｃｏの位置を表す投稿位置情報Ｐｓ及び複数の写真画像に対応した撮影位置情報Ｐｃ１〜ＰｃｎをＳＮＳシステムに送信する（図９ＡにおけるＳ１９）。
【００５８】
一方、選択画面において、利用者が、例えば、投稿位置情報Ｐｃを選択するための操作を操作部１３にて行うと、処理ユニット１０は、複数の写真画像に対応した撮影位置情報Ｐｃ１〜Ｐｃｎの全てを投稿位置情報Ｐｓで表す位置と同じ位置に変更し（Ｓ２６）、メッセージ情報に投稿位置情報Ｐｓを付加するとともに、複数の写真画像情報に変更後の撮影位置情報Ｐｃ１〜Ｐｃｎ（投稿位置情報Ｐｓと同じ位置を表す）を付加する。処理ユニット１０は、通信ユニット１１を制御して、メッセージ情報及び複数の画像情報とともに、投稿位置情報Ｐｓ及び当該投稿位置情報Ｐｓと同じ位置を表す撮影位置情報Ｐｃ１〜ＰｃｎをＳＮＳシステムに送信する（図９ＡにおけるＳ１９）。
【００５９】
このように、メッセージ情報に複数の写真画像を付加してＳＮＳシステムに送る際に、投稿位置情報Ｐｓ及び撮影位置情報Ｐｃから撮影位置情報Ｐｃが選択されると、投稿位置情報Ｐｓが、複数の写真画像に対応した撮影位置情報Ｐｃ１〜Ｐｃｎに基づいて決定された代表位置情報Ｐｃｏが表す位置と同じ位置を表すように変更されて、メッセージ情報に付加される。また、撮影位置情報Ｐｃが選択されると、複数の写真画像に対応した撮影位置情報Ｐｃ１〜Ｐｃｎが、投稿位置情報Ｐｓが表す位置と同じ位置を表すように変更されて、複数の写真画像に付加される。従って、ＳＮＳシステムによって前記メッセージ情報とともに写真画像情報が他の端末機器での閲覧に供された際に、前記撮影位置情報Ｐｃ１〜Ｐｃｎと前記メッセージ投稿位置情報Ｐｓとの違いによる混乱を防止することができる。
【００６０】
上述した処理において、メッセージ情報に単一の写真画像を付加してＳＮＳシステム送る（投稿する）場合において、メッセージ情報に付加すべき位置情報として撮影位置情報Ｐｃが選択された際に（図９ＡにおけるＳ２２でＰｃ）、メッセージ情報に投稿位置情報Ｐｓを付加することなく、写真画像情報に撮影位置情報Ｐｃを付加して、それらメッセージ情報及び写真画像情報を送る（投稿する）ようにしてもよい。また、メッセージ情報に付加すべき位置情報として投稿位置情報Ｐｓが選択された際に（図９ＡにおけるＳ２２でＰｓ）、メッセージ情報に投稿位置情報Ｐｓを付加して、写真画像情報に撮影位置情報を付加することなく、それらメッセージ情報及び写真画像情報を送る（投稿する）ようにしてもよい。
【００６１】
また、上述した処理において、メッセージ情報に複数の写真画像を付加してＳＮＳシステムに送る（投稿する）場合において、メッセージ情報に付加すべき位置情報として撮影位置情報Ｐｃが選択された際に（図９ＢにおけるＳ２５でＰｃ）、メッセージ情報に投稿位置情報Ｐｓを付加することなく、複数の写真画像情報に対応する撮影位置情報Ｐ１ｃ〜Ｐｃｎを付加して、それらメッセージ情報及び複数の写真画像情報を送る（投稿する）ようにしてもよい。また、メッセージ情報に付加すべき位置情報として撮影位置情報Ｐｃが選択された際に（図９ＢにおけるＳ２５でＰｓ）、メッセージ情報に投稿位置情報Ｐｓを付加して、複数の写真画像情報に撮影位置情報Ｐｃ１〜Ｐｃｎを付加することなく、それらメッセージ情報及び複数の写真画像情報を送る（投稿する）ようにしてもよい。
【００６２】
上述した各端末機器では、メッセージ情報に付加する外部情報が写真画像情報であったが、これに限られず、他の種類の外部情報、例えば、音声情報、映像情報、テキスト情報等であってもよい。また、端末機器は、スマートフォン１００に限られず、車両に搭載されるナビゲーション装置等の車載機器であっても、車載機器とスマートフォン等の端末機器が接続された構成の車載機器システムであってもよい。
【産業上の利用可能性】
【００６３】
本発明に係る端末機器は、メッセージ情報とともに外部情報を閲覧するに際して、外部情報の取得された地点の位置を表す外部情報取得位置情報と前記メッセージ情報が送られた地点の位置を表すメッセージ投稿位置情報との違いによる混乱を防止するという効果を有し、ツイッター（登録商標）等のソーシャル・ネットワーキング・サービス（ＳＮＳ）を提供するＳＮＳシステム等のように所定のネットワーク（例えば、インターネット）上において端末機器からメッセージ情報の提供を受けて、そのメッセージ情報を他の端末機器での閲覧に供するメッセージ管理システムにメッセージ情報を送る端末機器として有用である。
【符号の説明】
【００６４】
１０  処理ユニット
１１  通信ユニット
１２  表示部
１３  操作部
１４  記憶部
１５  カメラユニット
１００  スマートフォン
【図１】
0005831937.tif 000002
【図２】
0005831937.tif 000003
【図３】
0005831937.tif 000004
【図４】
0005831937.tif 000005
【図５】
0005831937.tif 000006
【図６】
0005831937.tif 000007
【図７】
0005831937.tif 000008
【図８】
0005831937.tif 000009
【図９Ａ】
0005831937.tif 000010
【図９Ｂ】
0005831937.tif 000011